(57)【要約】【課題】  話者権の予約を行うことを可能とし、話者権の解放後に予約を行った順に話者権を優先的に与えて発言しやすくするＰｏＣシステムを提供する。【解決手段】  ＰｏＣサーバ２は管理テーブルに話者権の予約ステータスを設け、携帯端末１−１〜１−ｎからのＰｏＣキー押下通知によって予約の登録、キャンセルを実施する。携帯端末１−１〜１−ｎはＰｏＣサーバ２への話者権の予約状況を表示し、話者権を保持する場合に、予約が追加されたことを示す情報をバイブレータにて通知する。ＰｏＣサーバ２は携帯端末１−１〜１−ｎに対して予約の登録順に話者権を割り当て、割り当て時にユーザの反応がない場合に話者権を解放する。【選択図】      図１
2006180143.tif 000002
【特許請求の範囲】
【請求項１】
携帯端末間において通話を行う際に送話を行う端末を特定する話者権をサーバ装置にて管理する通話システムであって、
前記携帯端末は、外部からの所定動作に応答して前記話者権の予約の登録とそのキャンセルとを前記サーバ装置に通知する手段を有し、
前記サーバ装置は、前記話者権の予約ステータスを含む管理情報を格納する管理テーブルと、前記携帯端末からの前記所定動作の実行通知に応じて前記管理テーブルへの前記話者権の予約の登録を行う制御手段とを有することを特徴とする通話システム。
【請求項２】
前記制御手段は、前記携帯端末からの前記所定動作とは異なる他の所定動作の実行通知に応じて前記話者権の予約のキャンセルを行うことを特徴とする請求項１記載の通話システム。
【請求項３】
前記制御手段は、前記携帯端末からの前記所定動作の実行通知にて前記話者権が要求される際に、他端末に前記話者権を付与した時、当該携帯端末からの前記所定動作の実行通知に応じて前記管理テーブルへの前記話者権の予約の登録を行うことを特徴とする請求項１または請求項２記載の通話システム。
【請求項４】
前記制御手段は、他端末に付与された前記話者権が解放された時に前記管理テーブルに前記話者権の予約が登録された端末のうちのいずれかに前記話者権を付与することを特徴とする請求項１から請求項３のいずれか記載の通話システム。
【請求項５】
前記サーバ装置は、前記予約ステータスを前記携帯端末各々に通知する手段を含み、
前記携帯端末は、前記サーバ装置から通知される前記予約ステータスを表示する手段を含むことを特徴とする請求項１から請求項４のいずれか記載の通話システム。
【請求項６】
前記サーバ装置は、前記管理テーブルへの前記予約の登録順に前記話者権を割り当てる手段を含むことを特徴とする請求項１から請求項５のいずれか記載の通話システム。
【請求項７】
前記携帯端末は、前記話者権を保持している時に他の携帯端末において前記話者権の予約の登録が行われたことを示す予約追加通知に応答して当該予約の登録が行われたことを外部に報知する第１の報知手段を含むことを特徴とする請求項１から請求項６のいずれか記載の通話システム。
【請求項８】
前記携帯端末は、前記話者権の予約の登録にて前記話者権を獲得した時に前記話者権の獲得を予め設定された一定時間外部に報知する第２の報知手段と、その報知が終了までに前記所定動作の実行がない時に獲得した前記話者権を解放する手段とを含むことを特徴とする請求項７記載の通話システム。
【請求項９】
前記第１及び第２の報知手段のうちの少なくとも一方は、自端末を振動させて外部に通知する手段と、発光する発光手段と、予め設定された通知音を鳴動させる鳴動手段と、その報知内容を示すテキスト情報を表示する手段と、その報知内容を示す画像情報を表示する手段とのうちのいずれかであることを特徴とする請求項８記載の通話システム。
【請求項１０】
前記所定動作は、予め設定されたキーの押下であることを特徴とする請求項１から請求項９のいずれか記載の通話システム。
【請求項１１】
前記携帯端末は、前記キーが押下され続けている間、前記所定動作の実行通知を行い、前記キーが離された時に前記話者権の予約のキャンセル通知を行うことを特徴とする請求項１０記載の通話システム。
【請求項１２】
前記所定動作は、予め設定された文言の発声の入力及び予め設定された所定の音量以上の音声入力のうちの少なくとも一方であることを特徴とする請求項１から請求項９のいずれか記載の通話システム。
【請求項１３】
前記携帯端末は、１回目の所定動作が実行された時に前記話者権の予約の登録通知を行い、当該１回目の所定動作の実行に続けて前記話者権の獲得前に２回目の所定動作が実行された時に前記話者権の予約のキャンセル通知を行うことを特徴とする請求項１から請求項１２のいずれか記載の通話システム。
【請求項１４】
前記サーバ装置は、前記話者権の獲得頻度を集計する手段を含み、
前記制御手段は、前記話者権の予約の競合時に前記獲得頻度に応じて前記話者権の予約の登録を行うことを特徴とする請求項１から請求項１３のいずれか記載の通話システム。
【請求項１５】
前記制御手段は、前記獲得頻度が少ない携帯端末からの前記話者権の予約を登録することを特徴とする請求項１４記載の通話システム。
【請求項１６】
前記サーバ装置は、前記話者権の予約の登録が予め設定された所定数以上となった時にその時点の話者権を解放することを特徴とする請求項１から請求項１５のいずれか記載の通話システム。
【請求項１７】
前記サーバ装置は、前記話者権の予約の登録が予め設定された所定数以上となった時にその時点の話者権を解放することを特徴とする請求項１から請求項１６のいずれか記載の通話システム。
【請求項１８】
前記制御手段は、前記管理テーブルへの前記話者権の予約の登録を行ってから予め設定された所定時間後に当該話者権の予約のキヤンセルを行うことを特徴とする請求項１から請求項１７のいずれか記載の通話システム。
【請求項１９】
前記携帯端末は、前記所定動作の実行通知を行ってから予め設定された一定時間後に前記話者権を獲得できない場合に前記所定動作の実行通知を前記サーバ装置に行うことを特徴とする請求項１８記載の通話システム。
【請求項２０】
前記携帯端末は、予め設定された一定時間毎に前記所定動作の実行通知を前記サーバ装置に行うことを特徴とする請求項１から請求項１７のいずれか記載の通話システム。
【請求項２１】
ＰｏＣ（Ｐｕｓｈ−ｔｏ−Ｔａｌｋ  ｏｖｅｒ  Ｃｅｌｌｕｌａｒ）の話者権を前記サーバ装置にて管理するＰｏＣシステムであることを特徴とする請求項１から請求項２０のいずれか記載の通話システム。
【請求項２２】
他端末との間において通話を行う際に送話を行う端末を特定する話者権を要する携帯端末装置であって、
外部からの所定動作に応答して前記話者権の予約の登録を前記話者権を管理するサーバ装置に通知する手段を有することを特徴とする携帯端末装置。
【請求項２３】
前記所定動作とは異なる他の所定動作に応答して前記話者権の予約のキャンセルをサーバ装置に通知する手段を含むことを特徴とする請求項２２記載の携帯端末装置。
【請求項２４】
前記サーバ装置から通知される前記予約ステータスを表示する手段を含むことを特徴とする請求項２２または請求項２３記載の携帯端末装置。
【請求項２５】
前記話者権を保持している時に他の携帯端末において前記話者権の予約の登録が行われたことを示す予約追加通知に応答して当該予約の登録が行われたことを外部に報知する第１の報知手段を含むことを特徴とする請求項２２から請求項２４のいずれか記載の携帯端末装置。
【請求項２６】
前記話者権の予約の登録にて前記話者権を獲得した時に前記話者権の獲得を予め設定された一定時間外部に報知する第２の報知手段と、その報知が終了までに前記所定動作の実行がない時に獲得した前記話者権を解放する手段とを含むことを特徴とする請求項２５記載の携帯端末装置。
【請求項２７】
前記第１及び第２の報知手段のうちの少なくとも一方は、自端末を振動させて外部に通知する手段と、発光する発光手段と、予め設定された通知音を鳴動させる鳴動手段と、その報知内容を示すテキスト情報を表示する手段と、その報知内容を示す画像情報を表示する手段とのうちのいずれかであることを特徴とする請求項２６記載の携帯端末装置。
【請求項２８】
前記所定動作は、予め設定されたキーの押下であることを特徴とする請求項２２から請求項２７のいずれか記載の携帯端末装置。
【請求項２９】
前記キーが押下され続けている間、前記所定動作の実行通知を行い、前記キーが離された時に前記話者権の予約のキャンセル通知を行うことを特徴とする請求項２８記載の携帯端末装置。
【請求項３０】
前記所定動作は、予め設定された文言の発声の入力及び予め設定された所定の音量以上の音声入力のうちの少なくとも一方であることを特徴とする請求項２２から請求項２７のいずれか記載の携帯端末装置。
【請求項３１】
１回目の所定動作が実行された時に前記話者権の予約の登録通知を行い、当該１回目の所定動作の実行に続けて前記話者権の獲得前に２回目の所定動作が実行された時に前記話者権の予約のキャンセル通知を行うことを特徴とする請求項２２から請求項３０のいずれか記載の携帯端末装置。
【請求項３２】
前記所定動作の実行通知を行ってから予め設定された一定時間後に前記話者権を獲得できない場合に前記所定動作の実行通知を前記サーバ装置に行うことを特徴とする請求項２２から請求項３１のいずれか記載の携帯端末装置。
【請求項３３】
予め設定された一定時間毎に前記所定動作の実行通知を前記サーバ装置に行うことを特徴とする請求項２２から請求項３１のいずれか記載の携帯端末装置。
【請求項３４】
前記話者権は、ＰｏＣ（Ｐｕｓｈ−ｔｏ−Ｔａｌｋ  ｏｖｅｒ  Ｃｅｌｌｕｌａｒ）における話者権であることを特徴とする請求項２２から請求項３３のいずれか記載の携帯端末装置。
【請求項３５】
携帯端末間において通話を行う際に送話を行う端末を特定する話者権をサーバ装置にて管理する通話システムに用いられる話者権予約方法であって、
前記サーバ装置に、前記話者権の予約ステータスを含む管理情報を格納する管理テーブルを設け、
前記サーバ装置が、前記携帯端末からの所定動作の実行通知に応じて前記管理テーブルへの前記話者権の予約の登録を行うステップを実行することを特徴とする話者権予約方法。
【請求項３６】
前記サーバ装置が、前記携帯端末からの前記所定動作とは異なる他の所定動作の実行通知に応じて前記話者権の予約のキャンセルを行うステップを実行することを特徴とする請求項３５記載の話者権予約方法。
【請求項３７】
前記サーバ装置が、前記携帯端末からの前記所定動作の実行通知にて前記話者権が要求される際に、他端末に前記話者権を付与した時、当該携帯端末からの前記所定動作の実行通知に応じて前記管理テーブルへの前記話者権の予約の登録を行うことを特徴とする請求項３５または請求項３６記載の話者権予約方法。
【請求項３８】
前記サーバ装置が、他端末に付与された前記話者権が解放された時に前記管理テーブルに前記話者権の予約が登録された端末のうちのいずれかに前記話者権を付与することを特徴とする請求項３５から請求項３７のいずれか記載の話者権予約方法。
【請求項３９】
前記サーバ装置が、前記予約ステータスを前記携帯端末各々に通知し、
前記携帯端末が、前記サーバ装置から通知される前記予約ステータスを表示することを特徴とする請求項３５から請求項３８のいずれか記載の話者権予約方法。
【請求項４０】
前記サーバ装置が、前記管理テーブルへの前記予約の登録順に前記話者権を割り当てるステップを実行することを特徴とする請求項３５から請求項３９のいずれか記載の話者権予約方法。
【請求項４１】
前記携帯端末が、前記話者権を保持している時に他の携帯端末において前記話者権の予約の登録が行われたことを示す予約追加通知に応答して当該予約の登録が行われたことを第１の報知手段にて外部に報知することを特徴とする請求項３５から請求項４０のいずれか記載の話者権予約方法。
【請求項４２】
前記携帯端末が、前記話者権の予約の登録にて前記話者権を獲得した時に前記話者権の獲得を第２の報知手段にて予め設定された一定時間外部に報知するステップと、その報知が終了までに前記所定動作の実行がない時に獲得した前記話者権を解放するステップとを実行することを特徴とする請求項４１記載の話者権予約方法。
【請求項４３】
前記第１及び第２の報知手段のうちの少なくとも一方は、自端末を振動させて外部に通知する手段と、発光する発光手段と、予め設定された通知音を鳴動させる鳴動手段と、その報知内容を示すテキスト情報を表示する手段と、その報知内容を示す画像情報を表示する手段とのうちのいずれかであることを特徴とする請求項４２記載の話者権予約方法。
【請求項４４】
前記所定動作が、予め設定されたキーの押下であることを特徴とする請求項３５から請求項４３のいずれか記載の話者権予約方法。
【請求項４５】
前記携帯端末が、前記キーが押下され続けている間、前記所定動作の実行通知を行い、前記キーが離された時に前記話者権の予約のキャンセル通知を行うことを特徴とする請求項４４記載の話者権予約方法。
【請求項４６】
前記所定動作が、予め設定された文言の発声の入力発声の入力及び予め設定された所定の音量以上の音声入力のうちの少なくとも一方であることを特徴とする請求項３５から請求項４３のいずれか記載の話者権予約方法。
【請求項４７】
前記携帯端末が、１回目の所定動作が実行された時に前記話者権の予約の登録通知を行い、当該１回目の所定動作の実行に続けて前記話者権の獲得前に２回目の所定動作が実行された時に前記話者権の予約のキャンセル通知を行うことを特徴とする請求項３５から請求項４６のいずれか記載の話者権予約方法。
【請求項４８】
前記サーバ装置が、前記話者権の獲得頻度を集計し、前記話者権の予約の競合時に前記獲得頻度に応じて前記話者権の予約の登録を行うことを特徴とする請求項３５から請求項４７のいずれか記載の話者権予約方法。
【請求項４９】
前記サーバ装置が、前記獲得頻度が少ない携帯端末からの前記話者権の予約を登録することを特徴とする請求項４８記載の話者権予約方法。
【請求項５０】
前記サーバ装置が、前記話者権の予約の登録が予め設定された所定数以上となった時にその時点の話者権を解放することを特徴とする請求項３５から請求項４９のいずれか記載の話者権予約方法。
【請求項５１】
前記サーバ装置が、前記管理テーブルへの前記話者権の予約の登録を行ってから予め設定された所定時間後に当該話者権の予約のキヤンセルを行うことを特徴とする請求項３５から請求項５０のいずれか記載の話者権予約方法。
【請求項５２】
前記携帯端末が、前記所定動作の実行通知を行ってから予め設定された一定時間後に前記話者権を獲得できない場合に前記所定動作の実行通知を前記サーバ装置に行うことを特徴とする請求項５１記載の話者権予約方法。
【請求項５３】
前記携帯端末は、予め設定された一定時間毎に前記所定動作の実行通知を前記サーバ装置に行うことを特徴とする請求項３５から請求項５０のいずれか記載の話者権予約方法。
【請求項５４】
前記通話システムは、ＰｏＣ（Ｐｕｓｈ−ｔｏ−Ｔａｌｋ  ｏｖｅｒ  Ｃｅｌｌｕｌａｒ）の話者権を前記サーバ装置にて管理するＰｏＣシステムであることを特徴とする請求項３５から請求項５３のいずれか記載の話者権予約方法。
【請求項５５】
携帯端末間において通話を行う際に送話を行う端末を特定する話者権をサーバ装置にて管理する通話システムに用いられる話者権予約方法のプログラムであって、コンピュータに、前記話者権の予約ステータスを含む管理情報を格納する前記サーバ装置の管理テーブルに対して、前記携帯端末からの所定動作の実行通知に応じて前記話者権の予約の登録を行う処理を実行させるためのプログラム。
【発明の詳細な説明】
【技術分野】
【０００１】
本発明は通話システム、携帯端末装置及びそれらに用いる話者権予約方法並びにそのプログラムに関し、特に携帯端末間をＩＰ（Ｉｎｔｅｒｎｅｔ  Ｐｒｏｔｏｃｏｌ）ネットワーク上で通話可能にするＶｏＩＰ（Ｖｏｉｃｅ  ｏｖｅｒ  ＩＰ）をベースにしたＰｏＣ（Ｐｕｓｈ−ｔｏ−Ｔａｌｋ  ｏｖｅｒ  Ｃｅｌｌｕｌａｒ）システムに関する。
【背景技術】
【０００２】
この種のＰｏＣシステムでは、パケット網を用い、１対多人数の通話を行うことができる（例えば、特許文献１参照）。但し、二人以上が同時に話すことはできず、話かけたい人が現在話している人の話が終わるのを待ち、話者権をとってから話すことになる。
【０００３】
携帯端末におけるＰｏＣの使い方は、トランシーバの使用方法と似ている。発言者が専用キーを押下して継続状態にすることによって話者権を持ち、発言した音声データが他の携帯端末へと送られる。他の携帯端末では発言することができず、音声受信のみとなる。話者権保持者が専用キーを解放することによって、話者権が解放され、解放後、最初に専用キーが押下された携帯端末が話者権を獲得し、その携帯端末を通しての発言が可能となる。
【０００４】
ＰｏＣでの話者権はＰｏＣサーバによって管理され、ＰｏＣサーバはメンバの登録、メンバの「不在」や「在室」等の参加可否情報の把握（プレゼンス機能）、話者権の割当て（フロア制御）等を行っている。
【０００５】
【特許文献１】特表２００３−５２６２７５号公報
【発明の開示】
【発明が解決しようとする課題】
【０００６】
上述した従来のＰｏＣシステムでは、話者権をとるために、話者権が解放状態（誰も話していない状態）になってから話者権獲得通知をＰｏＣサーバに送信する必要があるが、誰かが話している最中ではもちろん、話していなくても話者権獲得通知が他の人に先を越されれば、話者権をとることはできず、発言することができない。また、話している人がずっと話し続け、話者権を手放さない場合には、他の人が発言することができず、発言したい意思を伝える手段がない。
【０００７】
そこで、本発明の目的は上記の問題点を解消し、話者権の予約を行うことができ、話者権の解放後に予約を行った順に話者権を優先的に与えて発言しやすくすることができる通話システム、携帯端末装置及びそれらに用いる話者権予約方法並びにそのプログラムを提供することにある。
【課題を解決するための手段】
【０００８】
本発明による通話システムは、携帯端末間において通話を行う際に送話を行う端末を特定する話者権をサーバ装置にて管理する通話システムであって、
前記携帯端末は、外部からの所定動作に応答して前記話者権の予約の登録とそのキャンセルとを前記サーバ装置に通知する手段を備え、
前記サーバ装置は、前記話者権の予約ステータスを含む管理情報を格納する管理テーブルと、前記携帯端末からの前記所定動作の実行通知に応じて前記管理テーブルへの前記話者権の予約の登録を行う制御手段とを備えている。
【０００９】
本発明による携帯端末装置は、他の携帯端末との間において通話を行う際に送話を行う端末を特定する話者権をサーバ装置にて管理する通話システムに用いられる携帯端末装置であって、
外部からの所定動作に応答して前記話者権の予約の登録を前記サーバ装置に通知する手段を備えている。
【００１０】
本発明による話者権予約方法は、携帯端末間において通話を行う際に送話を行う端末を特定する話者権をサーバ装置にて管理する通話システムに用いられる話者権予約方法であって、
前記サーバ装置に、前記話者権の予約ステータスを含む管理情報を格納する管理テーブルを設け、
前記サーバ装置が、前記携帯端末からの所定動作の実行通知に応じて前記管理テーブルへの前記話者権の予約の登録を行うステップを実行している。
【００１１】
本発明による話者権予約方法のプログラムは、携帯端末間において通話を行う際に送話を行う端末を特定する話者権をサーバ装置にて管理する通話システムに用いられる話者権予約方法のプログラムであって、コンピュータに、前記話者権の予約ステータスを含む管理情報を格納する前記サーバ装置の管理テーブルに対して、前記携帯端末からの所定動作の実行通知に応じて前記話者権の予約の登録を行う処理を実行させている。
【００１２】
すなわち、本発明のＰｏＣシステムは、携帯端末間をＩＰ（Ｉｎｔｅｒｎｅｔ  Ｐｒｏｔｏｃｏｌ）ネットワーク上で通話可能にするＶｏＩＰ（Ｖｏｉｃｅ  ｏｖｅｒ  ＩＰ）をベースにしたＰｏＣ（Ｐｕｓｈ−ｔｏ−Ｔａｌｋ  ｏｖｅｒ  Ｃｅｌｌｕｌａｒ）システムにおいて、ＰｏＣサーバの管理テーブルに話者権の予約ステータスを設け、携帯端末からのキー押下通知によって予約の登録、キャンセルを実施する手段と、予約状況を携帯端末に表示し、話者権保持端末では予約追加情報をバイブレータにて通知する手段と、予約の登録順に話者権を割当て、割当て時にユーザの反応がない場合に話者権を解放する手段とを有している。
【００１３】
これによって、本発明のＰｏＣシステムでは、携帯端末からの話者権の予約を可能とし、予約をメンバに通知することによって話者権の解放を促し、話者権解放後、予約に基づき話者権を優先的に与えることで、発言しやすくすることが可能となる。
【００１４】
つまり、本発明のＰｏＣシステムでは、ＰｏＣサーバの管理テーブルに予約ステータスを設け、端末からのキー押下通知をトリガに、各端末の予約登録、予約キャンセルを切替えることによって、簡単な予約及び解除が可能となる。
【００１５】
また、本発明のＰｏＣシステムでは、予約ステータスにおいて予約登録順に、予約番号を割振り、そのステータス情報を各携帯端末に表示することによって、ユーザは簡単に予約状況を把握することが可能となる。
【００１６】
さらに、本発明のＰｏＣシステムでは、予約登録時、話者権保持端末においてバイブレータによる振動動作をさせることによって、携帯端末を持って話をしていて表示部による確認が困難な場合においても、確実に予約の追加を話中のユーザに伝えることが可能となり、話者権の解放を促すことが可能となる。
【００１７】
話者権の解放時、予約ステータスの予約番号を基に最初に予約した携帯端末に対して優先的に話者権を割当て、割当てた携帯端末において一定時間（例えば、３［ｓ］）通知音を鳴動させることによって、ユーザへ話者権獲得を伝えることが可能となり、鳴動中にキー押下があった場合に話者権を継続保持させ、鳴動中にキー押下がない場合にその話者権を解放することによって、予約後、ユーザ不在等で話すことのできなくなった携帯端末による話者権の占有を防止し、スムーズな話者権引渡しが可能となる。
【発明の効果】
【００１８】
本発明は、以下に述べるような構成及び動作とすることで、話者権の予約を行うことができ、話者権の解放後に予約を行った順に話者権を優先的に与えて発言しやすくすることができるという効果が得られる。
【発明を実施するための最良の形態】
【００１９】
次に、本発明の実施の形態について図面を参照して説明する。図１は本発明の実施の形態による通話システムの構成を示すブロック図である。本発明の実施の形態による通話システムは携帯端末（例えば、携帯電話機等）１−１〜１−ｎ間の通話を半二重で行うシステムであり、携帯端末１−１〜１−ｎ間をＩＰ（Ｉｎｔｅｒｎｅｔ  Ｐｒｏｔｏｃｏｌ）ネットワーク１００上で通話可能にするＶｏＩＰ（Ｖｏｉｃｅ  ｏｖｅｒ  ＩＰ）をベースにしたＰｏＣ（Ｐｕｓｈ−ｔｏ−Ｔａｌｋ  ｏｖｅｒ  Ｃｅｌｌｕｌａｒ）の話者権をＰｏＣサーバ２にて管理するＰｏＣシステムである。
【００２０】
図１において、本発明の実施の形態による通話システムは、携帯端末１−１〜１−ｎが移動体通信網２０１，２０２及びＩＰネットワーク１００を介してＰｏＣサーバ２に接続して構成されている。ＰｏＣサーバ２では、ＰｏＣメンバの登録、話者権割当て（フロア制御）、メンバの状態管理（プレゼンス機能）等を行い、複数の携帯端末１−１〜１−ｎにおいて１対多の通話を可能としている。
【００２１】
図２は本発明の実施の形態による通話システムにおける話者権の予約動作を示すシーケンスチャートであり、図３は本発明の実施の形態による通話システムにおける話者権の予約のキャンセル動作を示すシーケンスチャートである。これら図１〜図３を参照して本発明の実施の形態による通話システムの動作について説明する。
【００２２】
本発明の実施の形態による通話システムでは、ＰｏＣサーバ２の管理テーブル（図１に図示せず）に話者権の予約ステータスを設け、携帯端末１−１〜１−ｎからのＰｏＣキー（図１に図示せず）の押下通知によって予約の登録、キャンセルを実施している。
【００２３】
本発明の実施の形態による通話システムでは、管理テーブルにて管理される予約状況を携帯端末１−１〜１−ｎに表示し、話者権を保持する端末（例えば、携帯端末１−１）では予約追加情報をバイブレータ（図示せず）にて通知し、予約の登録順に話者権を割当てている（図２のａ１〜ａ１２）。尚、この予約の登録時に、話者権が割当てられる前に、予約状態の携帯端末１−１〜１−ｎからＰｏＣキー押下通知が送られてくると、その予約は解放されることとなる（図３のｂ１〜ｂ８）。
【００２４】
これによって、本発明の実施の形態による通話システムでは、携帯端末１−１〜１−ｎからの話者権の予約を可能とし、予約をＰｏＣにて会話を行うＰｏＣメンバに通知することによって、話者権の解放を促し、話者権の解放後、予約に基づいて話者権を優先的に与えることで、発言しやすくすることができる。
【００２５】
つまり、本発明の実施の形態による通話システムでは、ＰｏＣサーバ２の管理テーブルに予約ステータスを設け、携帯端末１−１〜１−ｎからのＰｏＣキーの押下通知をトリガに、各携帯端末１−１〜１−ｎの予約登録、予約キャンセルを切替えることによって、簡単な予約及び解除を行うことができる。
【００２６】
また、本発明の実施の形態による通話システムでは、予約ステータスにおいて予約登録順に、予約番号を割振り、そのステータス情報を各携帯端末１−１〜１−ｎに表示することによって、話者権の予約状況をユーザが簡単に把握することができる。
【００２７】
さらに、本発明の実施の形態による通話システムでは、予約登録時、話者権保持端末においてバイブレータによる振動動作等の報知動作を行うことによって、携帯端末１−１〜１−ｎを持って話をしていて表示部による確認が困難な場合においても、確実に予約の追加を話中のユーザに伝えることが可能となり、話者権の解放を促すことができる。
【００２８】
話者権の解放時、予約ステータスの予約番号を基に最初に予約した携帯端末１−１〜１−ｎに対して優先的に話者権を割当て、話者権を割当てた端末において一定時間（例えば、３［ｓ］）通知音を鳴動させることで、ユーザへ話者権獲得を伝えることが可能となり、鳴動中にキー押下があった場合に話者権を継続保持させ、鳴動中にキー押下がない場合にその話者権を解放することによって、予約後、ユーザ不在等で話すことのできなくなった携帯端末１−１〜１−ｎによる話者権の占有を防止し、スムーズな話者権引渡しを行うことができる。
【実施例１】
【００２９】
図４は本発明の第１の実施例による携帯端末の構成を示すブロック図であり、図５（ａ）は本発明の第１の実施例による携帯端末の正面図であり、図５（ｂ）は本発明の第１の実施例による携帯端末の側面図である。本発明の第１の実施例による通話システムは上述した図１に示す本発明の実施の形態による通話システムと同様の構成となっており、図４及び図５は図１に示す携帯端末１−１〜１−ｎ各々の構成及び外観を示している。
【００３０】
図４及び図５において、携帯端末１は自端末の動作を制御する制御部１１と、移動体通信網２００へ接続する無線部１２と、情報を保持するメモリ１３と、ユーザから自端末へのインプットを受け付ける操作部１４と、自端末のユーザに伝達する情報を表示する表示部１５と、振動を発生させるバイブレータ１６と、音声を出力するスピーカ１７と、音声を拾って入力するマイク１８と、制御部１１で実行するプログラムを格納する記録媒体１９とから構成されている。
【００３１】
図６は本発明の第１の実施例によるＰｏＣサーバの構成を示すブロック図である。図６は図１に示すＰｏＣサーバ２の構成を示している。図６において、ＰｏＣサーバ２は制御部（ＣＰＵ：中央処理装置）２１と、制御部２１が実行する制御プログラム２２ａを格納するメインメモリ２２と、ＰｏＣサーバ管理テーブル２３１を格納する記憶装置２３と、ＩＰネットワーク１００を介した通信を制御する通信制御部２４とから構成され、制御部２１とメインメモリ２２と記憶装置２３と通信制御部２４とはそれぞれ内部バス２１０によって相互に接続されている。
【００３２】
図７は図６のＰｏＣサーバ管理テーブル２３１の構成例を示す図である。図７において、ＰｏＣサーバ管理テーブル２３１はＰｏＣグループ（Ａ，Ｂ，Ｃ，・・・）毎に、メンバＩＤ（１〜６，・・・）と、ＰｏＣメンバ［メンバ（＃１〜＃６）］情報と、メンバアドレス（「０９０１２３４５６○○」，「０８０４５６９８７○○」，「０８０９８７６５４○○」，「０９０６５４３２１○○」，「０９０３２１６５４○○」，「０８０７８９４５６○○」等）と、ＰｏＣ参加（「○」または「×」）と、プレゼンス（「休憩室」，「食堂」，「実験室」，「外出」，「会議室」，「自席」等）と、ＰｏＣキー押下情報（「○」、「×」、「−」）と、話者権（「○」または「−」）と、話者権予約（「予約１」、「予約２」、・・・）とを格納している。
【００３３】
尚、上記のＰｏＣサーバ管理テーブル２３１においては、メンバアドレスを携帯電話番号としているが、メンバのアドレスがＩＰアドレス等であっても問題ない。また、制御部２１は上記のＰｏＣサーバ管理テーブル２３１に話者権予約が登録されてから予め設定された所定時間内に、その予約を基に話者権が付与されなければ（例えば、話者権予約がタイムアウトすると）、その話者権予約をキャンセルするようにしてもよい。この場合、携帯端末１では話者権予約がタイムアウトすると、ＰｏＣキーの押下通知をＰｏＣサーバ２に送るようにしても、あるいは携帯端末１では話者権予約がタイムアウトすることを見越して、予め所定時間毎にＰｏＣキーの押下通知をＰｏＣサーバ２に送るようにしてもよい。
【００３４】
図８〜図１０は図４の携帯端末１の動作を示すフローチャートであり、図１１及び図１２は図６のＰｏＣサーバ２の動作を示すフローチャートであり、図１３〜図１５は図４の携帯端末１の表示部１５への表示例を示す図である。以下、図１と図４〜図１５とを参照して本発明の第１の実施例による通話システムの動作について説明する。尚、図８〜図１０に示す処理は制御部１１が記録媒体１９のプログラムを実行することで実現され、図１１及び図１２に示す処理は制御部２１が制御プログラム２２ａを実行することで実現される。
【００３５】
以下の説明では、自端末を携帯端末１−１（フローチャートでは携帯端末＃１と表記）とし、ＰｏＣメンバとしてｎ台の携帯端末１−１〜１−ｎがＰｏＣサーバ２に登録されてＰｏＣ通話可能状態になるものとする。
【００３６】
また、ＰｏＣ動作時に表示部１５に表示するステータス表示例を図１３〜図１５に示す。これら図１３〜図１５において、自端末の名前を「Ｕｓｅｒ」とし、ＰｏＣ登録メンバを「Ｕｓｅｒ」，「Ｍｅｍｂｅｒ１」，「Ｍｅｍｂｅｒ２」，「Ｍｅｍｂｅｒ３」，「Ｍｅｍｂｅｒ４」，「Ｍｅｍｂｅｒ５」とする。これら登録メンバのうちＰｏＣ通話可能状態の携帯端末は「在室」のプレゼンス表示のある「Ｕｓｅｒ」，「Ｍｅｍｂｅｒ１」，「Ｍｅｍｂｅｒ２」，「Ｍｅｍｂｅｒ３」とし、「不在」のプレゼンス表示のある「Ｍｅｍｂｅｒ４」，「Ｍｅｍｂｅｒ５」はＰｏＣ通話不可状態とする。
【００３７】
ＰｏＣ通信が可能な状態で、自端末（携帯端末＃１）において話者権がない状態で処理がスタートする。ここで、操作部１４においてＰｏＣ専用に割当てられたキーをＰｏＣキーとし、話者権を自端末（携帯端末＃１）にて獲得しようとした場合には、このＰｏＣキーを押下する（図８ステップＳ１）。携帯端末１はＰｏＣキー押下をトリガに、ＰｏＣキー押下通知をＰｏＣサーバ２に送信する（図８ステップＳ２）。
【００３８】
ＰｏＣサーバ２はＰｏＣキー押下通知を受信すると（図１１ステップＳ３１）、ＰｏＣサーバ管理テーブル２３１において話者権がどの携帯端末に割り当てられているかを確認する（図１１ステップＳ３２）。話者権が誰にも割り当てられていない場合（話者権解放状態）、ＰｏＣサーバ２は話者権を携帯端末＃１に割り当て、ステータスを更新し（図１２ステップＳ４４）、その更新したステータス情報を各携帯端末＃１〜＃ｎに送信する（図１２ステップＳ４５）。
【００３９】
携帯端末＃１はステータス情報を受信し（図８ステップＳ３）、そのステータス情報にて話者券が割当てられていれば（図８ステップＳ４）、表示部１５に表示されたステータスを更新して話者権割り当てを表示する（図８ステップＳ５）。表示部１５において、話者権解放状態のステータス表示は図１３（ａ）に示すような表示となり、ＰｏＣキー押下で話者権を獲得すると、図１３（ｂ）に示すような表示となり、「Ｕｓｅｒ」左に「発言」アイコンが表示されて発言者（話者権保持者）が誰かを示し、この状態において「Ｕｓｅｒ」である携帯端末＃１で発言が可能となる（図８ステップＳ６）。
【００４０】
携帯端末＃１は話者権保持中にＰｏＣサーバ２からステータス更新情報があると（図８ステップＳ７）、表示部１５に表示されたステータスを更新して表示し（図８ステップＳ８）、ユーザにステータスの更新があった旨を通知する。携帯端末＃１はそのステータス更新情報内に予約追加情報があった場合（図８ステップＳ９）、話者権保持端末（携帯端末＃１）において、バイブレータ１６を一定時間動作させ（図８ステップＳ１０）、ユーザに予約の追加があった旨を通知する。その時のステータス表示を図１３（ｃ）に示す。
【００４１】
他の携帯端末（Ｍｅｍｂｅｒ１）からの予約が追加されると、携帯端末＃１では「Ｍｅｍｂｅｒ１」の左に「予約１」アイコンを表示し、バイブレータ１６を動作させることによって、話者権保持者に予約追加を知らせる。話者権保持端末以外の携帯端末においてはバイブレータ１６の動作を行わず、ステータス表示の更新のみとなる。予約の追加については後述する。
【００４２】
話者権を保持する携帯端末＃１においてＰｏＣキーが解放されない限り、話者権はその携帯端末＃１に留まり、ＰｏＣキーを解放した場合（図９ステップＳ１１）、ＰｏＣキー解放通知をＰｏＣサーバ２に送信する（図９ステップＳ１２）。
【００４３】
ＰｏＣサーバ２は携帯端末＃１からのＰｏＣキー解放通知を受信すると（図１２ステップＳ４６）、話者権を携帯端末＃１から解放してステータスを更新し（図１２ステップＳ４７）、その更新したステータス情報を各携帯端末＃１〜＃ｎに送信する（図１２ステップＳ４８）。
【００４４】
携帯端末＃１はＰｏＣサーバ２から更新されたステータス情報を受け取ると（図９ステップＳ１３）、表示部１５のステータス表示を更新して表示し（図９ステップＳ１４）、携帯端末＃１の発言が終了する。この携帯端末＃１の終了状態はＰｏＣ通信が可能かつ自端末（携帯端末＃１）において話者権がない状態であり、上記のスタート時の状態と同じとなるので、上記のステップＳ１からの繰り返しの動作が可能となる。
【００４５】
図１３において、自端末（Ｕｓｅｒ）に話者権があり、他の携帯端末の予約がない場合［図１３（ｂ）参照］、話者権を解放することによって、「Ｕｓｅｒ」左の「発言」アイコンが消灯する［図１３（ａ）参照］。
【００４６】
本実施例では、ＰｏＣサーバ２のＰｏＣサーバ管理テーブル２３１に新に話者権の予約ステータスを用意することで、各携帯端末＃１〜＃ｎの予約登録順に割当てた予約番号（予約１〜予約ｎ）を管理する。携帯端末＃１において、話者権がなく、ＰｏＣキー押下時に他の携帯端末が話者権を占有している場合（図１１ステップＳ３２）、ＰｏＣサーバ２はＰｏＣサーバ管理テーブル２３１において話者権の予約状態を確認する（図１１ステップＳ３３）。
【００４７】
予約がない場合、またはステップＳ３３にて予約があり、その中に自端末（携帯端末＃１）の予約がない場合（図１１ステップＳ４１）、話者権予約を先着順に携帯端末へ割り当て、ステータスを更新し（図１１ステップＳ３４）、その予約追加情報を加えたステータス情報を各携帯端末＃１〜＃ｎに送信する（図１１ステップＳ３５）。
【００４８】
携帯端末＃１はＰｏＣサーバ２からの予約追加情報を加えたステータス情報を受信すると（図１０ステップＳ１５）、その予約追加情報を加えたステータス情報を基に表示部１６のステータス表示を更新して表示する（図１０ステップＳ１８）。この時、話者権保持端末においては上記の処理と合わせて、バイブレータ１６を作動させる。これによって、携帯端末＃１の予約が完了し、ＰｏＣキーを解放する（図１０ステップＳ１９）。
【００４９】
一方、他の携帯端末に話者権が割り当てられており、予約がない場合の表示部１５の表示例を図１３（ｄ）に示す。この時、ＰｏＣキー押下によって自端末「Ｕｓｅｒ」左に「予約１」アイコンが表示され、予約が実施される［図１４（ａ）参照］。予約が既に存在する場合には、予約の割り当てが予約順（先着順）となり、２番目の場合には「予約２」アイコンが表示される［図１４（ｂ）参照］。
【００５０】
携帯端末＃１が予約中にＰｏＣキー押下をせずに（図１０ステップＳ２０）、話者権の解放があった場合（図１１ステップＳ３６）、ＰｏＣサーバ２は話者権を優先的に予約の最も早かった（予約１）端末に割り当て、予約順位を繰り上げてステータスを更新する（図１１ステップ３７）。その時、ＰｏＣサーバ２は予約で優先的に話者権を得た端末に予約優先通知を送信し（図１１ステップＳ３８）、更新したステータス情報を各携帯端末＃１〜＃ｎに送信する（図１１ステップＳ３９）。
【００５１】
携帯端末＃１はＰｏＣサーバ２から更新されたステータス情報を受信すると（図１０ステップＳ２１）、その更新されたステータス情報を基に表示部１５のステータス表示を更新して表示する（図１０ステップＳ２２）。この時、携帯端末＃１が予約１から優先的に話者権を割り当てられて予約優先通知を受信すると（図１０ステップＳ２３）、スピーカ１７からの通知音（予約優先通知確認音）の鳴動を開始させ、タイマＴｐを０からスタートさせる（図１０ステップＳ２４）。その時の表示例を図１４に示す。
【００５２】
図１４（ｃ）に示すように、他の端末（Ｍｅｍｂｅｒ１）に話者権があり、予約が行われている状態から、「Ｍｅｍｂｅｒ１」の携帯端末が話者権を解放した場合、「予約１」であったＵｓｅｒ（携帯端末＃１）に話者権が移動し、「予約２」であった「Ｍｅｍｂｅｒ２」を「予約１」に繰り上げしたステータス表示となり、予約優先通知によってスピーカ１７から通知音を鳴動する［図１４（ｄ）参照］。
【００５３】
携帯端末＃１においては、タイマＴｐと予約優先時間Ｔｏ（例えば、３［ｓ］）とを比較し（図１０ステップＳ２５）、タイマＴｐが予約優先時間Ｔｏ以内に携帯端末＃１のＰｏＣキー押下があった場合（図１０ステップＳ２６）、予約優先通知確認音の鳴動を停止し（図１０ステップＳ２７）、携帯端末＃１が話者権保持端末として、発言可能となる（図８ステップＳ６）。
【００５４】
携帯端末＃１のＰｏＣキー押下がなく、タイマＴｐが予約優先時間Ｔｏを超えてしまった場合（図１０ステップＳ２５）、予約優先通知確認音の鳴動を停止し（図１０ステップＳ２８）、携帯端末＃１から話者権解放通知を送信する（図１０ステップＳ２９）。
【００５５】
ＰｏＣサーバ２は携帯端末＃１から話者権解放通知を受信すると（図１１ステップＳ４０）、割り当てていた携帯端末＃１の話者権を解放し、ステータスを更新し（図１２ステップＳ４７）、更新したステータス情報を各携帯端末＃１〜＃ｎに送信する（図１２ステップＳ４８）。
【００５６】
自端末（携帯端末＃１）の予約がある状態において、携帯端末＃１のＰｏＣキーが押下された場合（図１１ステップＳ４１）、ＰｏＣサーバ２は携帯端末＃１の話者権予約を解除し、抜けた予約順位を繰り上げてステータスを更新し（図１１ステップＳ４２）、その更新したステータス情報を各携帯端末＃１〜＃ｎに送信する（図１１ステップＳ４３）。
【００５７】
携帯端末＃１はＰｏＣサーバ２からの予約追加情報を加えたステータス情報を受信しなければ（図１０ステップＳ１５）、表示部１５のステータス表示を更新して表示し（図１０ステップＳ１６）、ＰｏＣキーの解放によって（図１０ステップＳ１７）、予約のキャンセルが完了する。予約キャンセル時のステータス表示例を図１４及び図１５に示す。図１４（ｃ）に示すような予約状況において、自端末（Ｕｓｅｒ）のＰｏＣキー押下を行った場合、図１５に示すように、「Ｕｓｅｒ」の予約アイコンを消去し、他の携帯端末「Ｍｅｍｂｅｒ２」の予約順位を「予約２」から「予約１」へと繰り上げて変更する処理を行う。
【００５８】
このように、本実施例では、ＰｏＣサーバ２のＰｏＣサーバ管理テーブル２３１に予約ステータスを設け、携帯端末１−１〜１−ｎからのＰｏＣキーの押下通知をトリガに、各携帯端末１−１〜１−ｎの予約登録、予約キャンセルを切替えることによって、簡単な予約及び解除を行うことができる。
【００５９】
また、本実施例では、ＰｏＣサーバ管理テーブル２３１の予約ステータスにおいて予約登録順に、予約番号を割り振り、そのステータス情報を各携帯端末１−１〜１−ｎに表示することによって、ユーザが簡単に予約状況を把握することができる。
【００６０】
さらに、本実施例では、予約登録時、話者権保持端末においてバイブレータ１６による振動動作を行わせることによって、携帯端末１−１〜１−ｎを持って話をしていて、表示部１５による確認が困難な場合においても、確実に予約の追加を話中のユーザに伝えることができ、話者権の解放を促すことができる。
【００６１】
さらにまた、本実施例では、話者権解放時、予約ステータスの予約番号を基に最初に予約した携帯端末１−１〜１−ｎに優先的に話者権を割り当て、割り当てた携帯端末１−１〜１−ｎにおいて一定時間（例えば、３［ｓ］等）通知音を鳴動させることによって、ユーザへ話者権獲得を伝えることができ、鳴動中にＰｏＣキーの押下があった場合、話者権を継続保持させ、鳴動中にＰｏＣキーの押下がない場合に、その話者権を解放することによって、予約後、ユーザ不在等で話すことのできなくなった携帯端末１−１〜１−ｎによる話者権の占有を防止することができ、スムーズな話者権の引渡しを行うことができる。
【００６２】
尚、本実施例では、ＰｏＣキー解放にて話者権解放としているが、話者権を保持できる最大占有時間（例えば、１２０［ｓ］等）を設け、この最大占有時間に近づいたら通知音でユーザに知らせ、最大占有時間を超えたら話者権を解放する動作としてもよい。この時、予約待ち状態の端末数に応じて最大占有時間を短くする制御、または最初の予約追加時に、最大占有時間を一律一定時間（例えば、２０［ｓ］等）に変更する制御を加えてもよい。
【実施例２】
【００６３】
図１６は本発明の第２の実施例による携帯端末の構成を示すブロック図である。図１６において、本発明の第２の実施例による携帯端末３は発光ダイオード３１を追加した以外は図４に示す本発明の第１の実施例による携帯端末１と同様の構成となっており、同一構成要素には同一符号を付してある。また、同一構成要素の動作は上述した本発明の第１の実施例とほぼ同一である。
【００６４】
発光ダイオード３１は予約登録があった場合、話者権を保持する携帯端末において発光（点滅）することで、バイブレータ１６の代わりに予約追加を報知するようにしている。また、発光ダイオード３１は予約で優先的に話者権を得た携帯端末において発光（点滅）することで、通知音鳴動の代わりに予約優先通知を報知するようにしている。
【００６５】
尚、本実施例では、バイブレータ１６による振動と、通知音鳴動と、発光ダイオード３１の発光（点滅）とを組み合わせることで、あるいはその報知内容を変えることで、予約追加や予約優先通知を報知することが可能である。また、これら以外にも、予約追加や予約優先通知をテキストや画像にて報知することも可能である。さらに、本実施例では、話者権解放を促すために用い、予約待ちがある場合に一定時間毎にバイブレータ１６による振動、通知音鳴動、発光ダイオード３１の発光（点滅）を行わせてもよい。
【実施例３】
【００６６】
図１７は本発明の第３の実施例によるＰｏＣサーバの構成を示すブロック図である。図１７において、本発明の第３の実施例によるＰｏＣサーバ４は、記憶装置２３の代わりに、ＰｏＣサーバ管理テーブル２３１と発言頻度情報保持部４１１とを格納する記憶装置４１を配置した以外は図６に示す本発明の第１の実施例によるＰｏＣサーバ２と同様の構成となっており、同一構成要素には同一符号を付してある。また、同一構成要素の動作は本発明の第１の実施例とほぼ同一である。
【００６７】
ＰｏＣサーバ４の制御部２１は携帯端末１−１〜１−ｎが話者権を獲得する毎に、携帯端末１−１〜１−ｎに対応する発言頻度情報保持部４１１の格納領域のカウント値［発言回数（話者権の獲得回数）］をインクリメントし、話者権を保持する携帯端末で話者権が解放された時に複数の予約がある場合、そのカウント値を基に優先的に話者権を割当てる。
【００６８】
例えば、発言回数の少ないユーザに対して優先的に話者権を割当てるような場合には、上記のカウント値が少ないユーザに対して優先的に話者権を割当てる制御を行う。但し、ＰｏＣメンバ間での通話において司会等を行っているユーザに対しては上記の優先制御を行わないようにすることも可能である。
【００６９】
尚、本実施例では、発言回数（話者権の獲得回数）を基に、話者権の優先制御を行っているが、携帯端末１−１〜１−ｎ毎に発言時間を計数し、その発言時間を基に話者権の優先制御を行うようにしてもよい。また、本実施例では、ＰｏＣサーバ管理テーブル２３１内の話者権予約が予め設定された規定数以上となると、制御部２１が話者権を保持する携帯端末に対して送話終了通知を送信することで、強制的に話者権を強制的に解放することも可能である。
【実施例４】
【００７０】
図１８は本発明の第４の実施例による通話システムの動作を示すシーケンスチャートである。この図１８を参照して本発明の第４の実施例による通話システムの動作について説明する。本発明の第４の実施例では、ＰｏＣキーを長時間押下することで、話者権の予約登録を可能とした点が上述した本発明の第１の実施例と異なる点である。
【００７１】
ＰｏＣサーバは携帯端末＃１からＰｏＣキー押下通知を受信した時に（図１８のｃ１）、話者権が解放状態であれば（図１８のｃ２）、話者権を携帯端末＃１に割り当てたことを示すステータス情報を携帯端末＃１〜＃ｎに送信し（図１８のｃ３）、ＰｏＣサーバは話者権を携帯端末＃１に与えて話者権占有状態となる（図１８のｃ４）。
【００７２】
この状態で、携帯端末＃２がＰｏＣキーを押下し続けると（図１８のｃ５，ｃ６）、ＰｏＣサーバは携帯端末＃２に対して話者権の予約登録を行い、その旨（予約追加）を示すステータス情報を携帯端末＃１〜＃ｎに送信する（図１８のｃ７）。その際、携帯端末＃２においては、ＰｏＣサーバから話者権割り当てのステータス情報が送られてくる前に、ＰｏＣキーが離されると、その話者権の予約登録がキャンセルされる（図１８のｃ８〜ｃ１０）。
【実施例５】
【００７３】
図１９は本発明の第５の実施例による通話システムの話者権予約処理を示すシーケンスチャートである。本発明の第５の実施例はＰｏＣサーバに話者権の予約登録及びキャンセルの機能がない場合に話者権の獲得を行い易くしたものである。
【００７４】
ＰｏＣサーバは携帯端末＃１からＰｏＣキー押下通知を受信した時に（図１９のｄ１）、話者権が解放状態であれば（図１９のｄ２）、話者権を携帯端末＃１に割り当てたことを示すステータス情報を携帯端末＃１〜＃ｎに送信し（図１９のｄ３）、ＰｏＣサーバは話者権を携帯端末＃１に与えて話者権占有状態となる（図１９のｄ４）。
【００７５】
この状態で、携帯端末＃２がＰｏＣキーを押下し続け（図１９のｄ５，ｄ６）、携帯端末＃１においてＰｏＣキーが離され、話者権が解放状態になると（図１９のｄ７，ｄ８）、ＰｏＣサーバは話者権を携帯端末＃２に割り当てたことを示すステータス情報を携帯端末＃１〜＃ｎに送信する（図１９のｄ９，ｄ１０）。
【００７６】
その際、携帯端末＃２においては、ＰｏＣサーバから話者権を割り当てたことを示すステータス情報が送られてくる前に、ＰｏＣキーが離されると、その話者権獲得動作が終了される。尚、ＰｏＣサーバから話者権を割り当てたことを示すステータス情報が送られてきた場合でも、携帯端末＃２においてＰｏＣキーが解放されれば、話者権が解放状態となる。
【００７７】
上述した本発明の各実施例では、ＰｏＣキーの押下をトリガとしているが、ユーザが予め設定された文言を上記のＰｏＣキーを押下するタイミングで話すことで、上記のＰｏＣキーの押下の代わりとすることもできる。但し、各携帯端末＃１〜＃ｎには上記の文言を解析する手段を必要とする。
【図面の簡単な説明】
【００７８】
【図１】本発明の実施の形態によるＰｏＣシステムの構成を示すブロック図である。
【図２】本発明の実施の形態による通話システムにおける話者権の予約動作を示すシーケンスチャートである。
【図３】本発明の実施の形態による通話システムにおける話者権の予約のキャンセル動作を示すシーケンスチャートである。
【図４】本発明の第１の実施例による携帯端末の構成を示すブロック図である。
【図５】（ａ）は本発明の第１の実施例による携帯端末の正面図、（ｂ）は本発明の第１の実施例による携帯端末の側面図である。
【図６】本発明の第１の実施例によるＰｏＣサーバの構成を示すブロック図である。
【図７】図６のＰｏＣサーバ管理テーブルの構成例を示す図である。
【図８】図４の携帯端末の動作を示すフローチャートである。
【図９】図４の携帯端末の動作を示すフローチャートである。
【図１０】図４の携帯端末の動作を示すフローチャートである。
【図１１】図６のＰｏＣサーバの動作を示すフローチャートである。
【図１２】図６のＰｏＣサーバの動作を示すフローチャートである。
【図１３】（ａ）〜（ｄ）は図４の携帯端末の表示部への表示例を示す図である。
【図１４】（ａ）〜（ｄ）は図４の携帯端末の表示部への表示例を示す図である。
【図１５】図４の携帯端末の表示部への表示例を示す図である。
【図１６】本発明の第２の実施例による携帯端末の構成を示すブロック図である。
【図１７】本発明の第３の実施例によるＰｏＣサーバの構成を示すブロック図である。
【図１８】本発明の第４の実施例による通話システムの動作を示すシーケンスチャートである。
【図１９】本発明の第５の実施例による通話システムの話者権予約処理を示すシーケンスチャートである。
【符号の説明】
【００７９】
１，１−１〜１−ｎ  携帯端末
２  ＰｏＣサーバ
１１  制御部
１２  無線部
１３  メモリ
１４  操作部
１５  表示部
１６  バイブレータ
１７  スピーカ
１８  マイク
１９  記録媒体
２１  制御部（ＣＰＵ）
２２  メインメモリ
２２ａ  制御プログラム
２３，４１  記憶装置
２４  通信制御部
３１  発光ダイオード
１００  ＩＰネットワーク
２００，２０１，２０２  移動体通信網
２１０  内部バス
２３１  ＰｏＣサーバ管理テーブル
４１１  発言頻度情報保持部
【図１】
2006180143.tif 000003
【図２】
2006180143.tif 000004
【図３】
2006180143.tif 000005
【図４】
2006180143.tif 000006
【図５】
2006180143.tif 000007
【図６】
2006180143.tif 000008
【図７】
2006180143.tif 000009
【図８】
2006180143.tif 000010
【図９】
2006180143.tif 000011
【図１０】
2006180143.tif 000012
【図１１】
2006180143.tif 000013
【図１２】
2006180143.tif 000014
【図１３】
2006180143.tif 000015
【図１４】
2006180143.tif 000016
【図１５】
2006180143.tif 000017
【図１６】
2006180143.tif 000018
【図１７】
2006180143.tif 000019
【図１８】
2006180143.tif 000020
【図１９】
2006180143.tif 000021